(57)【要約】  本願の実施例は、測定リソース指示方法及び関連デバイスを提供し、多種の信号測定をサポートしている通信システムに応用され、この方法は、ネットワークデバイスがユーザーデバイスに第１の測定リソース指示情報を送信することを含み、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である。本発明の実施例は、異なる信号測定が同じ測定リソースを使用する場合に、再使用される測定リソースを指示情報によって指示し、リソースの浪費を低減することができる。
2021510464.tif 000002
【特許請求の範囲】
【請求項１】
多種の信号測定をサポートしている通信システムに応用される測定リソースの指示方法であって、
ネットワークデバイスがユーザーデバイスに第１の測定リソース指示情報を送信することを含み、前記第１の測定リソース指示情報は、第１の信号測定が第２の信号測定の一部の測定リソース又は全部の測定リソースを再利用するように指示し、前記第２の信号測定が測定リソースが構成された信号測定であり、前記第１の信号測定が測定リソースが構成されない信号測定である
ことを特徴とする測定リソースの指示方法。
【請求項２】
前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する
ことを特徴とする請求項１に記載の測定リソースの指示方法。
【請求項３】
前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する
ことを特徴とする請求項１に記載の測定リソースの指示方法。
【請求項４】
前記第２の信号測定の数が複数である場合、前記方法は、さらに、
前記ネットワークデバイスが前記ユーザーデバイスに第２の測定リソース指示情報を送信することを含み、前記第２の測定リソース指示情報が第２のビットを含み、前記第２のビットは、前記第１の信号測定が信号測定ｉの測定リソースを再利用するように指示し、  前記信号測定ｉが複数の前記第２の信号測定のうちの１つである
ことを特徴とする請求項２又は３に記載の測定リソースの指示方法。
【請求項５】
多種の信号測定をサポートしている通信システムに応用される測定リソースの指示方法であって、
ユーザーデバイスがネットワークデバイスからの第１の測定リソース指示情報を受信することを含み、前記第１の測定リソース指示情報は、第１の信号測定が第２の信号測定の一部の測定リソース又は全部の測定リソースを再利用するように指示し、前記第２の信号測定が測定リソースが構成された信号測定であり、前記第１の信号測定が測定リソースが構成されない信号測定である
ことを特徴とする測定リソースの指示方法。
【請求項６】
前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する
ことを特徴とする請求項５に記載の測定リソースの指示方法。
【請求項７】
前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する
ことを特徴とする請求項５に記載の測定リソースの指示方法。
【請求項８】
前記第２の信号測定の数が複数である場合、前記方法は、さらに、
前記ユーザーデバイスが前記ネットワークデバイスからの第２の測定リソース指示情報を受信することを含み、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである
ことを特徴とする請求項６又は７に記載の測定リソースの指示方法。
【請求項９】
処理ユニットと、通信ユニットとを備え、多種の信号測定をサポートしている通信システムに応用されるネットワークデバイスであって、
前記処理ユニットは、前記通信ユニットを介してユーザーデバイスに第１の測定リソース指示情報を送信するように構成され、前記第１の測定リソース指示情報は、第１の信号測定が第２の信号測定の一部の測定リソース又は全部の測定リソースを再利用するように指示し、前記第２の信号測定が測定リソースが構成された信号測定であり、前記第１の信号測定が測定リソースが構成されない信号測定である
ことを特徴とするネットワークデバイス。
【請求項１０】
前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する
ことを特徴とする請求項９に記載のネットワークデバイス。
【請求項１１】
前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する
ことを特徴とする請求項９に記載のネットワークデバイス。
【請求項１２】
前記第２の信号測定の数が複数である場合、
前記処理ユニットは、さらに、前記通信ユニットを介して前記ユーザーデバイスに第２の測定リソース指示情報を送信するように構成され、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである
ことを特徴とする請求項１０又は１１に記載のネットワークデバイス。
【請求項１３】
処理ユニットと、通信ユニットとを備え、多種の信号測定をサポートしている通信システムに応用されるユーザーデバイスであって、
前記処理ユニットは、前記通信ユニットを介して、ネットワークデバイスからの第１の測定リソース指示情報を受信するように構成され、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である
ことを特徴とするユーザーデバイス。
【請求項１４】
前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する
ことを特徴とする請求項１３に記載のユーザーデバイス。
【請求項１５】
前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する
ことを特徴とする請求項１３に記載のユーザーデバイス。
【請求項１６】
前記第２の信号測定の数が複数である場合、
前記処理ユニットは、さらに、前記通信ユニットを介して、前記ネットワークデバイスからの第２の測定リソース指示情報を受信するように構成され、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである
ことを特徴とする請求項１４又は１５に記載のユーザーデバイス。
【請求項１７】
１つ以上のプロセッサと、１つ以上のメモリと、１つ以上の送受信機と、１つ以上のプログラムとを備えるネットワークデバイスであって、
前記１つ以上のプログラムは、前記メモリに記憶され、前記１つ以上のプロセッサによって実行されるように構成され、前記プログラムは、請求項１〜４のいずれか１項に記載の方法におけるステップを実行するための命令を含む
ことを特徴とするネットワークデバイス。
【請求項１８】
１つ以上のプロセッサと、１つ以上のメモリと、１つ以上の送受信機と、１つ以上のプログラムとを備えるユーザーデバイスであって、
前記１つ以上のプログラムは、前記メモリに記憶され、前記１つ以上のプロセッサによって実行されるように構成され、前記プログラムは、請求項５〜８のいずれか１項に記載の方法におけるステップを実行するための命令を含む
ことを特徴とするユーザーデバイス。
【請求項１９】
請求項１〜４のいずれか１項に記載の方法のステップの命令をコンピュータに実行させる電子データ交換のためのコンピュータプログラムを記憶する、
ことを特徴とするコンピュータ可読記憶媒体。
【請求項２０】
請求項５〜８のいずれか１項に記載の方法のステップの命令をコンピュータに実行させる電子データ交換のためのコンピュータプログラムを記憶する
ことを特徴とするコンピュータ可読記憶媒体。
【発明の詳細な説明】
【技術分野】
【０００１】
本願は、通信技術分野に関し、具体的に、測定リソースの指示方法及び関連デバイスに関する。
【背景技術】
【０００２】
従来の第３世代パートナーシッププロジェクト( ３ ｒｄ Ｇｅｎｅｒａｔｉｏｎ Ｐａｒｔｎｅｒｓｈｉｐ Ｐｒｏｊｅｃｔ、３ ＧＰＰ )の結論によれば、信号測定は、単一サイドバンド( Ｓｉｎｇｌｅ Ｓｉｄｅ Ｂａｎｄ、ＳＳＢ )またはチャネル状態情報( Ｃｈａｎｎｅｌ Ｓｔａｔｅ Ｉｎｆｏｒｍａｔｉｏｎ−Ｒｅｆｅｒｅｎｃｅ Ｓｉｇｎａｌ、ＣＳＩ−ＲＳ )を使用することができる。信号測定は、ビーム管理、無線リンク監視( Ｒａｄｉｏ Ｌｉｎｋ Ｍｅａｓｕｒｅｍｅｎｔ、ＲＬＭ )、および無線リソース管理( Ｒａｄｉｏ Ｒｅｓｏｕｒｃｅ Ｍａｎａｇｅｍｅｎｔ、ＲＲＭ )を含む。ビーム管理は、主にビームの追加、削除、および回復に用いられ、ＲＲＭは、主にセカンダリセルの追加、削除、およびハンドオーバに用いられ、ＲＬＭは、主に無線リンクの監視に用いられる。
【０００３】
ＵＥは、ＳＳＢ又はＣＳＩ−ＲＳに基づいてビーム管理、ＲＬＭ及びＲＲＭを行う。現在、ビーム管理、ＲＬＭ、ＲＲＭの測定リソースは、ネットワーク側装置がそれぞれ３つの異なる無線リソース制御情報要素( Ｒａｄｉｏ Ｒｅｓｏｕｒｃｅ Ｃｏｎｔｒｏｌ ｉｎｆｏｒｍａｔｉｏｎ ｅｌｅｍｅｎｔ、ＲＲＣ ＩＥ )で構成されるのが一般的である。
【発明の概要】
【０００４】
本発明の実施例は、異なる信号測定に同じ測定リソースを使用する場合に、再使用する測定リソースを１つの指示情報で指示することにより、リソースの浪費を低減することができる測定リソース指示方法及び関連デバイスを提供する。
【０００５】
第１の態様として、本願の実施例は、測定リソースの指示方法を提供し、
ネットワークデバイスがユーザーデバイスに第１の測定リソース指示情報を送信することを含み、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である。
【０００６】
第２の態様として、本願の実施例は、測定リソースの指示方法を提供し、
ユーザーデバイスがネットワークデバイスからの第１の測定リソース指示情報を受信することを含み、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である。
【０００７】
第３の態様として、本願は、処理ユニットと、通信ユニットとを備えるネットワークデバイスを提供し、
前記処理ユニットは、前記通信ユニットを介してユーザーデバイスに第１の測定リソース指示情報を送信するように構成され、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である。
【０００８】
第４の態様として、本願は、処理ユニットと通信ユニットとを備えるユーザーデバイスを提供し、
前記処理ユニットは、前記通信ユニットを介して、ネットワークデバイスからの第１の測定リソース指示情報を受信するように構成され、前記第１の測定リソース指示情報は、第１の信号測定が第２の信号測定の一部の測定リソース又は全部の測定リソースを再利用するように指示し、ここで、第２の信号測定は、測定リソースが構成された信号測定であり、第１の信号測定は、測定リソースが構成されない信号測定である。
【０００９】
第５の態様として、本願の実施例は、１つ以上のプロセッサと、１つ以上のメモリと、１つ以上の送受信機と、１つ以上のプログラムとを備えるネットワークデバイスを提供し、前記１つ以上のプログラムは、前記メモリに記憶され、１つ以上のプロセッサによって実行されるように構成され、第１の態様に記載の方法のステップを実行するための命令を含む。
【００１０】
第６の態様として、本願の実施例は、１つ以上のプロセッサと、１つ以上のメモリと、１つ以上の送受信機と、１つ以上のプログラムとを備えるネットワークデバイスを提供し、前記１つ以上のプログラムは、前記メモリに記憶され、１つ以上のプロセッサによって実行されるように構成され、第２の態様に記載の方法のステップを実行するための命令を含む。
【００１１】
第７の態様として、本願の実施例は、電子データ交換のためのコンピュータプログラムを記憶するコンピュータ可読記憶媒体を提供し、コンピュータプログラムは、第１の態様に記載の方法のステップの一部または全部をコンピュータに実行させる。
【００１２】
第８の態様として、本願の実施例は、電子データ交換のためのコンピュータプログラムを記憶するコンピュータ可読記憶媒体を提供し、コンピュータプログラムは、第１の態様に記載の方法のステップの一部または全部をコンピュータに実行させる。
【００１３】
第９の態様として、本願の実施例は、第１の態様に記載の方法で説明したステップの一部又は全てをコンピュータに実行させるように動作可能なコンピュータプログラムを記憶した非一時的コンピュータ可読記憶媒体を含むコンピュータプログラム製品を提供する。また、前記コンピュータプログラム製品は、ソフトウェアのインストールパッケージであってもよい。
【００１４】
第１０の態様として、本願の実施例は、第２の態様に記載の方法で説明したステップの一部又は全てをコンピュータに実行させるように動作可能なコンピュータプログラムを記憶した非一時的コンピュータ可読記憶媒体を含むコンピュータプログラム製品を提供する。また、前記コンピュータプログラム製品は、ソフトウェアのインストールパッケージであってもよい。
【００１５】
本願のこれらの態様または他の態様は、以下の実施例の説明においてより容易に理解されるであろう。
【図面の簡単な説明】
【００１６】
以下、本願の実施例または背景技術における技術的解決策をより明確に説明するために、本願の実施例または背景技術において必要とされる図面について説明する。
【図１】本願の実施例における無線通信システムの構成図である。
【図２】本願の実施例におけるユーザーデバイスの構成図である。
【図３】本願の実施例におけるネットワークデバイスの構成図である。
【図４】本願の実施例における測定リソースの指示方法のフローチャートである。
【図５】本願の実施例におけるネットワークデバイスの構成図である。
【図６】本願の実施例におけるユーザーデバイスの構成図である。
【図７】本願の実施例における他のネットワークデバイスの構成図である。
【図８】本願の実施例における他のネットワークデバイスの構成図である。
【発明を実施するための形態】
【００１７】
本出願の実施例の一部で使用される用語は、本出願の特定の実施例を説明するためのものに過ぎず、本出願を限定することを意図していない。
【００１８】
本願の明細書及び特許請求の範囲、並びに添付図面における用語「第１」、「第２」、「第３」、及び「第４」などは、異なる対象を区別するために使用され、特定の順序を説明するために使用されない。さらに、「含む」及び「有する」という用語、並びにそれらの任意の変形は、排他的な包含を含まないことが意図される。
【００１９】
図１は、本願に係る無線通信システムを示している。無線通信システムは、ロングタームエボリューション( Ｌｏｎｇ Ｔｅｒｍ Ｅｖｏｌｕｔｉｏｎ、ＬＴＥ )システムに限定されず、将来に展開される第５世代移動通信( ｔｈｅ５ ｔｈ Ｇｅｎｅｒａｔｉｏｎ、５Ｇ )システム、新しいラジオ( ＮＲ )システム、マシン間通信( Ｍａｃｈｉｎｅ ｔｏ Ｍａｃｈｉｎｅ、Ｍ２Ｍ )システムなどであってもよい。図１に示すように、無線通信システム１００は、１以上のネットワークデバイス１０１と、１以上のユーザーデバイス１０２とを含む 
ネットワークデバイス１０１は、１つ以上のユーザーデバイスと通信するために使用され得る基地局であってもよく、一部のユーザーデバイス機能を有する１つ以上の基地局(例えば、マクロ基地局とアクセスポイント等のマイクロ基地局との間の通信)と通信するために使用され得る。基地局は、時分割同期符号分割多重アクセス( Ｔｉｍｅ Ｄｉｖｉｓｉｏｎ Ｓｙｎｃｈｒｏｎｏｕｓ Ｃｏｄｅ Ｄｉｖｉｓｉｏｎ Ｍｕｌｔｉｐｌｅ Ａｃｃｅｓｓ、ＴＤ−ＳＣＤＭＡ )システムにおける基地局送受信機( Ｂａｓｅ Ｔｒａｎｓｃｅｉｖｅｒ Ｓｔａｔｉｏｎ、ＢＴＳ )であってもよいし、ＬＴＥシステムにおける発展型基地局( Ｅｖｏｌｕｔｉｏｎａｌ Ｎｏｄｅ Ｂ、ｅＮＢ )であってもよいし、５Ｇシステム、新しいラジオ( ＮＲ )システムにおける基地局であってもよい。また、基地局は、アクセスポイント( Ａｃｃｅｓｓ Ｐｏｉｎｔ、ＡＰ )、トランスポートノード( Ｔｒａｎｓ ＴＲＰ )、セントラルユニット( Ｃｅｎｔｒａｌ Ｕｎｉｔ、ＣＵ )、または他のネットワークエンティティであってもよく、上記ネットワークエンティティの機能の一部または全部を含んでもよい。
【００２０】
ユーザーデバイス１０２は、無線通信システム１００全体に分散されてもよく、静止していてもよく、移動していてもよい。本願のいくつかの実施例において、端末１０２は、モバイルデバイス、移動局( ｍｏｂｉｌｅ ｓｔａｔｉｏｎ )、モバイルユニット( ｍｏｂｉｌｅ ｕｎｉｔ )、Ｍ2Ｍ端末、ワイヤレスユニット、リモートユニット、ユーザエージェント、モバイルクライアント等であり得る。
【００２１】
具体的には、ネットワークデバイス１０１は、ネットワークコントローラ(図示せず)の制御下で、無線インターフェース１０３を介して、ユーザーデバイス１０２と通信するために使用され得る。いくつかの実施例において、ネットワークデバイスのコントローラは、コアネットワークの一部であってもよく、ネットワークデバイス１０１に統合されてもよい。ネットワークデバイス１０１との間は、バックホール( ｂｌａｃｋｈａｕｌ )インタフェース１０４ (例えば、Ｘ２インタフェース)を介して、直接的に、または間接的に、互いに通信を行ってもよい。
【００２２】
信号品質及び信号の安定性を確保するためには、信号測定を行う必要がある。信号測定のプロセスは、典型的には、ネットワークデバイスが測定リソースを構成し、次いで、ネットワークデバイスが信号測定のために使用される測定リソースが何であるかをユーザーデバイスに通知し、次いで、ユーザーデバイスが、ネットワークデバイスによって構成された測定リソースに基づいて信号測定を行う。信号測定は、ビーム管理、ＲＬＭ、又はＲＲＭを含むが、これらに限定されない。
【００２３】
信号測定に対して測定リソース構成を行う場合、通常は、３つの異なる無線リソース制御情報ユニット( Ｒａｄｉｏ Ｒｅｓｏｕｒｃｅ Ｃｏｎｔｒｏｌ ｉｎｆｏｒｍａｔｉｏｎ ｅｌｅｍｅｎｔ、ＲＲＣ ＩＥ )によって、上記３種類の信号測定のそれぞれに対して測定リソースの構成を行う。例えば、ＲＲＣ ＩＥ−１を用いてビーム管理による測定リソースの構成を行い、ＲＲＣ ＩＥ−２を用いてＲＬＭによる測定リソースの構成を行い、ＲＲＣ ＩＥ−３を用いてＲＲＭによる測定リソースの構成を行う。
【００２４】
ビーム管理、ＲＬＭ及びＲＲＭが使用する測定リソースが一部同じ、又は、ビーム管理、ＲＬＭ、ＲＲＭが使用する測定リソースが全て同じ場合、上記の方式でビーム管理、ＲＬＭ及びＲＲＭに対して測定リソースを行うと、リソースの浪費が生じる可能性がある。
【００２５】
本願において、第１の信号に測定リソースが構成されなく、第２の信号に測定リソースが構成されており、ネットワークデバイスが、第１の信号測定が、第２の信号測定の測定リソースを再利用することを検出した場合、ネットワークデバイスは、ユーザーデバイスに測定リソース指示情報を送信し、この測定リソース指示情報は、第１の信号測定が、第２の信号測定の測定リソースの一部または全部を再利用するように指示する。
【００２６】
このように、ネットワークデバイスは、異なる信号測定が同じ測定リソースを使用する場合、再利用される測定リソースを１つの指示情報で指示することにより、各信号測定が１つのＲＲＣ ＩＥを利用して測定リソースを構成する必要がなく、リソースの浪費を低減することができる。
【００２７】
なお、図１に示す無線通信システム１００は、本願の技術的解決策をより明確に説明するためのものに過ぎず、本願を限定するものではなく、ネットワークアーキテクチャの進化と新たなビジネスシナリオの出現に伴い、本願が提供する技術的解決策が、類似の技術的課題に対して同様に適用されることは、当業者にとって明らかである。
【００２８】
図２を参照すると、図２は、本願のいくつかの実施例によって提供されるユーザーデバイス２００を示す。図２に示すように、ユーザーデバイス２００は、１または複数のユーザーデバイスプロセッサ２０１、メモリ２０２、通信インタフェース２０３、受信機２０５、送信機２０６、結合器２０７、アンテナ２０８、ユーザーインタフェース２０２、および入出力モジュール(音声入出力モジュール２１０、キー入力モジュール２１１、ディスプレイ２１２などを含む)を含むことができる。これらの構成要素は、バス２０４または他の手段によって接続されてもよく、図２は、バスによって接続される例である。
【００２９】
通信インターフェース２０３は、ユーザーデバイス２００がネットワークデバイスなどの他の通信機器と通信するために使用され得る。具体的には、ネットワークデバイスは、図３に示すネットワークデバイス３００であってもよい。具体的には、通信インタフェース２０３は、ロングタームエボリューション( ＬＴＥ ) ( ４Ｇ )通信インタフェースであってもよいし、５Ｇ又は将来の新しいラジオの通信インタフェースであってもよい。無線通信インタフェースに限定されず、ユーザーデバイス２００は、有線通信インタフェース２０３、例えば、ローカルエリアアクセス網( Ｌｏｃａｌ Ａｃｃｅｓｓ Ｎｅｔｗｏｒｋ、ＬＡＮ )インタフェースで構成されてもよい。
【００３０】
送信機２０６は、ユーザーデバイスプロセッサ２０１によって出力された信号を送信処理、例えば、信号変調に使用することができる。受信機２０５は、アンテナ２０８によって受信された移動通信信号の受信処理、例えば、信号復調に使用され得る。本願のいくつかの実施例において、送信機２０６及び受信機２０５は、無線モデムと見なされ得る。ユーザーデバイス２００において、送信機２０６及び受信機２０５の数はそれぞれ、１つ以上であり得る。アンテナ２０８は、伝送線路の電磁波エネルギーを自由空間の電磁波に変換するために、または、自由空間の電磁波エネルギーを伝送線路の電磁波エネルギーに変換するために使用される。結合器２０７は、アンテナ３０８で受信された移動体通信信号を複数の受信機２０５に分配して多重化するために用いられる。
【００３１】
図２に示す送信機２０６及び受信機２０５に加えて、ユーザーデバイス２００は、例えば、ＧＰＳモジュール、Ｂｌｕｅｔｏｏｔｈモジュール、ワイヤレスハイフィデリティ( Ｗｉｒｅｌｅｓｓ Ｆｉｄｅｌｉｔｙ、Ｗｉ−Ｆｉ )モジュール等の他の通信コンポーネントを含んでもよい。上記に記載された無線通信信号に限定されず、ユーザーデバイス２００は、例えば、衛星信号、短波信号等の他の無線通信信号にも対応してもよい。ユーザーデバイス２００は、無線通信に限定されず、有線通信をサポートするＬＡＮインタフェース等の有線ネットワークインタフェースで構成されてもよい。
【００３２】
入出力モジュールは、ユーザーデバイス２００とユーザ/外部環境との間のインタラクションを可能にするために使用されてもよく、主に、音声入出力モジュール２１０、キー入力モジュール２１１、及びディスプレイ２１２などを含んでもよい。具体的には、入出力モジュールは、カメラ、タッチパネル、センサ等をさらに含んでもよい。ここで、入出力モジュールは、ユーザインターフェイス２０９を介してユーザーデバイスプロセッサ２０１と通信する。
【００３３】
メモリ２０２は、様々なソフトウェアプログラムおよび/または命令のセットを記憶するために、端末プロセッサ２０１に結合される。具体的に、メモリ２０２は、高速ランダムアクセスのメモリを含んでもよく、また、１つ以上のディスク記憶装置、フラッシュメモリデバイス、又は他の不揮発性ソリッドステートメモリデバイスなどの不揮発性メモリを含んでもよい。メモリ２０２は、オペレーティングシステム(以下、単にシステムという)、例えば、ＡＮＤＲＯＩＤ、ＩＯＳ、ＷＩＮＤＯＷＳ、又はＬＩＮＵＸ等の組み込みオペレーティングシステムを記憶することができる。メモリ２０２は、１つ以上の追加のデバイス、１つ以上のユーザーデバイス、１つ以上のネットワークデバイスと通信するために使用され得るネットワーク通信プログラムも記憶することができる。また、メモリ２０２は、グラフィカルな操作画面を介してアプリケーションプログラムの内容をイメージ的に表示し、メニュー、ダイアログボックス、キー等の入力操作子を介してアプリケーションプログラムに対するユーザの操作を受け付けるユーザインターフェースプログラムを記憶していてもよい。
【００３４】
本発明のいくつかの実施例では、メモリ２０２は、本発明の１つ以上の実施例によって提供される測定リソース指示方法のユーザーデバイス２００側での実装手順を記憶するために使用され得る。本願の１つ以上の実施例によって提供される測定リソース指示方法の実施に関して、以下の方法の実施例が参照される。
【００３５】
本願のいくつかの実施例では、ユーザーデバイスプロセッサ２０１は、コンピュータ可読命令を読み取り、実行するために使用され得る。具体的には、ユーザーデバイスプロセッサ２０１は、メモリ２１２に記憶されたプログラム、例えば、本発明の一以上の実施例による測定リソース指示方法のユーザーデバイス２００側での実装プログラムを呼び出し、当該プログラムに含まれる命令を実行するために使用されてもよい。
【００３６】
ユーザーデバイス２００は、モバイルデバイス、移動局( ｍｏｂｉｌｅ ｓｔａｔｉｏｎ )、モバイルユニット( ｍｏｂｉｌｅ ｕｎｉｔ )、ワイヤレスユニット、リモートユニット、ユーザエージェント、モバイルクライアント等として具現化され得ることが理解されよう。
【００３７】
なお、図２に示すユーザーデバイス２００は、本発明の実施例の一実装形態に過ぎず、ユーザーデバイス２００は、実際の適用において、より多くの又はより少ない構成要素を更に含んでもよく、ここで限定されない。
【００３８】
図３を参照すると、図３は、本願のいくつかの実施例によって提供されるネットワークデバイス３００を示す。図３に示すように、ネットワークデバイス３００は、１または複数のネットワークデバイスプロセッサ３０１と、メモリ３０２と、通信インタフェース３０３と、送信機３０５と、受信機３０６と、結合部３０７と、アンテナ３０８とを備えることができる。これらの構成要素は、バス３０４または他の方式で接続されてもよく、図４は、バスによる接続を例にする。
【００３９】
通信インターフェース３０３は、ネットワークデバイス３００が、ユーザーデバイスまたは他のネットワークデバイスなどの他の通信デバイスと通信するために使用され得る。具体的には、ユーザーデバイスは、図２に示されるユーザーデバイス２００であってもよい。具体的には、通信インタフェース３０３は、ロングタームエボリューション( ＬＴＥ ) ( ４Ｇ )通信インタフェースであってもよいし、５Ｇ又は将来の新ポートの通信インタフェースであってもよい。ネットワークデバイス３００は、無線通信インターフェースに限定されず、有線通信インターフェース３０３を備えて有線通信をサポートするように構成されてもよく、例えば、１つのネットワークデバイス３００と他のネットワークデバイス３００との間のバックホールリンクは、有線通信接続であってもよい。
【００４０】
送信機３０５は、ネットワークデバイスのプロセッサ３０１によって出力された信号の送信処理、例えば、信号変調を行うために使用され得る。受信機３０６は、アンテナ３０８によって受信されたモバイル通信信号の受信処理のために使用され得る。例えば信号復調を行う。本発明のいくつかの実施例において、送信機３０５及び受信機３０６は、無線モデムと見なされ得る。ネットワークデバイス３００において、送信機３０５および受信機３０６の数はそれぞれ、１つ以上であり得る。アンテナ３０８は、伝送線路の電磁波エネルギーを自由空間の電磁波に変換するために、または、自由空間の電磁波エネルギーを伝送線路の電磁波エネルギーに変換するために使用される。結合器３０７は、移動体通信番号を複数の受信機３０６に分配して多重化するために使用される。
【００４１】
メモリ３０２は、ネットワークデバイスプロセッサ３０１に結合され、様々なソフトウェアプログラムおよび/または複数の命令セットを記憶する。具体的に、メモリ３０２は、高速ランダムアクセスのメモリを含んでよく、また、１つ以上の磁気ディスクストレージデバイス、フラッシュメモリデバイス、又は他の不揮発性ソリッドステートストレージデバイスなどの不揮発性メモリを含んでよい。メモリ３０２は、オペレーティングシステム(以下、単にシステムという)、例えば、ｕＣＯＳ、ＶｘＷｏｒｋｓ、ＲＴＬｉｎｕｘなどの組み込みオペレーティングシステムを記憶することができる。メモリ４０２は、１つ以上の追加のデバイス、１つ以上のエンドデバイス、１つ以上のネットワークデバイスと通信するために使用され得るネットワーク通信プログラムも記憶し得る。
【００４２】
ネットワークデバイスプロセッサ３０１は、無線チャネル管理、呼の確立および通信リンクの解放、ならびに、セル切り替え制御などを制御領域内のユーザに提供するために使用され得る。具体的には、ネットワークデバイスプロセッサ３０１は、通話交換や情報交換の中心となる管理/通信モジュール( Ａｄｍｉｎｉｓｔｒａｔｉｏｎ Ｍｏｄｕｌｅ / Ｃｏｍｍｕｎｉｃａｔ ｉｏｎ Ｍｏｄｕｌｅ、ＡＭ / ＣＭ )、呼処理、シグナリング処理、無線リソース管理、無線リンクの管理、回線メンテナンス機能を実現するための基本モジュール( Ｂａｓｉｃ Ｍｏｄｕｌｅ、ＢＭ )、多重分離や符号変換機能を実現するための符号変換サブ多重化部( Ｔｒａｎｓｃｏｄｅｒ ａｎｄ ＳｕｂＭｕｌｔｉｐｌｅｘｅｒ、ＴＣＳＭ )等を含んでもよい。
【００４３】
本発明のいくつかの実施例では、メモリ３０２は、本発明の１つ以上の実施例によって提供される測定リソース指示方法のネットワークデバイス３００側での実装手順を記憶するために使用され得る。本願の１つ以上の実施例によって提供される測定リソース指示方法の実施に関して、以下の方法の実施例が参照される。
【００４４】
本願の実施例において、ネットワークデバイスのプロセッサ３０１は、コンピュータ可読命令を読み取り、実行するために使用され得る。具体的には、ネットワークデバイスプロセッサ３０１は、メモリ３０２に記憶されたプログラム、例えば、本発明の１つ以上の実施例によって提供される測定リソース指示方法のネットワークデバイス３００側での実装プログラムを呼び出し、当該プログラムに含まれる命令を実行するために使用され得る。
【００４５】
なお、ネットワークデバイス３００は、基地局、無線送受信機、基本サービスセット( ＢＳＳ )、拡張サービスセット( ＥＳＳ )、ＮｏｄｅＢ、ｅＮｏｄｅＢ、アクセスポイント、またはＴＲＰなどとして実装され得る。
【００４６】
なお、図３に示すネットワークデバイス３００は、本発明の一実施例に過ぎず、実際の適用において、より多くの又はより少ないコンポーネントを含んでもよく、ここで限定されない。
【００４７】
本願の実施例は、上述した無線通信システム１００、ユーザーデバイス２００及びネットワークデバイス３００がそれぞれ対応する実施例に基づく測定リソースの指示方法を提供する。
【００４８】
図４を参照すると、図４は、本願の実施例によって提供される測定リソースの指示方法のフローチャート図であり、複数の信号測定をサポートする通信システムに適用され、以下のステップを含み、
ステップ４０１において、ネットワークデバイスが第１の測定リソース指示情報を構成し、第１の測定リソース指示情報は、第１の信号測定が第２の信号測定の一部の測定リソース又は全部の測定リソースを再利用するように指示し、ここで、第２の信号測定は、測定リソースが構成された信号測定であり、第１の信号測定は、測定リソースが構成されない信号測定である。
【００４９】
ステップ４０２において、ネットワークデバイスがユーザーデバイスに第１の測定リソース指示情報を送信し、ユーザーデバイスがネットワークデバイスからの第１の測定リソース指示情報を受信する。
【００５０】
ここで、信号測定は、ビーム管理、ＲＬＭ又はＲＲＭを含むが、これに限定されない。
【００５１】
ここで、測定リソースは、ＳＳＢ又はＣＳＩ−ＲＳを含むが、これに限定されない。
【００５２】
ここで、測定リソース指示情報は、ＲＲＣ ＩＥに携帯されてもよいし、ネットワークデバイスがユーザーデバイスに送信するシグナリングに携帯されてもよいし、ネットワークデバイスがユーザーデバイスに送信する下りデータに携帯されてもよいが、ここでは限定しない。
【００５３】
本願のいくつかの実施例において、第１の信号測定が第２の信号測定の測定リソースを再利用する場合、ネットワークデバイスが第１の測定リソース指示情報を構成する。
【００５４】
本願のいくつかの実施例において、ユーザーデバイスは、ネットワークデバイスからの第１の測定リソース指示情報を受信した後、第２の信号測定の一部の測定リソース又は全部の測定リソースを利用して第１の信号測定を行う。例えば、第２の信号測定がビーム管理であり、第１の信号測定がＲＬＭであり、第１の測定リソース指示情報は、ＲＬＭがビーム管理の全部の測定リソースを再利用するように指示する場合、ユーザーデバイスは、第１の測定リソース指示情報を受信した後、ビーム管理の全部の測定リソースを利用してＲＬＭを実行する。
【００５５】
本願のいくつかの実施例において、第２の信号測定の数が１、第１の信号測定の数が１である場合、第１の測定リソース指示情報は、この第１の信号測定が第２の信号測定の測定リソースを再利用するように指示する。例えば、第２の信号測定がビーム管理であり、第１の信号測定がＲＬＭである場合、第１の測定リソース指示情報は、ＲＬＭがビーム管理の測定リソースを再利用するように指示する。
【００５６】
本願のいくつかの実施例において、第２の信号測定の数が１であり、第１の信号測定の数が１よりも大きく、複数の第１の信号測定が同様に第２の信号測定の測定リソースを利用する場合、第１の測定リソース指示情報は、これらの複数の第１の信号測定が第２の信号測定の測定リソースを再利用するように指示する。例えば、第２の信号測定がビーム管理であり、第１の信号測定がＲＬＭ及びＲＲＭであり、ＲＬＭとＲＲＭが同様にビーム管理の測定リソースを再利用する場合、第１の測定リソース指示情報は、ＲＬＭとＲＲＭがビーム管理の測定リソースを再利用するように指示する。
【００５７】
なお、第２の信号測定の数が１であり、第１の信号測定の数が１よりも大きく、複数の第１の信号測定が第２の信号測定の測定リソースを再利用することは異なる場合、ネットワークデバイスが複数の測定リソース指示情報を構成し、これらの測定リソース指示情報が複数の第１の信号測定に一対一対応する。例えば、第２の信号測定がビーム管理であり、第１の信号測定がＲＬＭとＲＲＭであり、ＲＬＭとＲＲＭとがビーム管理の測定リソースを再利用することは異なる場合、ネットワークデバイスが２つの測定リソース指示情報を構成し、１つの測定リソース指示情報は、ＲＬＭがビーム管理を再利用するように指示し、もう１つの測定リソース指示情報は、ＲＲＭがビーム管理を再利用するように指示する。
【００５８】
例えば、第２の信号測定がビーム管理であり、ビーム管理の測定リソースがリソース１、リソース２及びリソース３であり、第１の信号測定がＲＬＭ及びＲＲＭである。ネットワークデバイスがリソース１及びリソース３をＲＬＭ及びＲＲＭに再利用したい場合、１つの測定リソース指示情報を送信して、ＲＬＭ及びＲＲＭが共にリソース１及びリソース３を再利用するように指示する。ネットワークデバイスがリソース１及びリソース３をＲＬＭに、リソース１及びリソース２をＲＲＭに再利用したい場合、ネットワークデバイスは、１つの測定リソース指示情報を送信して、ＲＬＭがリソース１及びリソース３を再利用するように指示し、もう１つの測定リソース指示情報を送信して、ＲＲＭがリソース１及びリソース２を再利用するように指示する。
【００５９】
このように、ネットワークデバイスは、異なる信号測定が同じ測定リソースを使用する場合、再利用される測定リソースを１つの指示情報で指示することにより、各信号測定が１つのＲＲＣ ＩＥを利用して測定リソースを構成する必要がなく、リソースの浪費を低減することができる。
【００６０】
本願のいくつかの実施例において、前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する。例えば、第２の信号測定がビーム管理であり、ビーム管理の測定リソースがリソース１、リソース２及びリソース３であり、第１の信号測定がＲＬＭ及びＲＲＭである。ネットワークデバイスがリソース１、リソース２及びリソース３をＲＬＭ及びＲＲＭに再利用したい場合、第１の測定リソース指示情報が１つのビットを含み、例えば、このビットの値が１であり、ＲＬＭとＲＲＭとが共にビーム管理の測定リソースを再利用するように指示する。
【００６１】
本願のいくつかの実施例において、前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する。例えば、第２の信号測定がビーム管理であり、ビーム管理の測定リソースがリソース１、リソース２及びリソース３であり、第１の信号測定がＲＬＭ及びＲＲＭである。ネットワークデバイスがリソース１及びリソース３をＲＬＭとＲＲＭに再利用したい場合、第１の測定リソース指示情報が３つのビットを含み、この３つのビットがリソース１、リソース２及びリソース３にそれぞれ対応し、この３つのビットの値が１、０、１である場合、ＲＬＭとＲＲＭがリソース１とリソース３を再利用し、リソース２を再利用しないように示す。
【００６２】
本願のいくつかの実施例において、前記第２の信号測定の数が複数である場合、前記方法は、さらに、
前記ネットワークデバイスが前記ユーザーデバイスに第２の測定リソース指示情報を送信することを含み、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである。
【００６３】
ここで、第１の測定リソース指示情報を送信する時刻が第２の測定リソース指示情報を送信する時刻と同じであっても良いし、異なっても良く、ここで限定されない。
【００６４】
具体的には、第２の信号測定が複数あるため、ユーザーデバイスは、第１の測定リソース指示情報のみに基づいて、第１の信号測定がどの第２の信号測定の測定リソースを再利用するか分からないであるため、ネットワークデバイスは、第２の測定リソース指示情報によって、第１の信号測定がどの第２の信号測定の測定リソースを再利用するかをユーザーデバイスに通知する必要がある。
【００６５】
例えば、第２の信号測定がビーム管理およびＲＲＭであり、第１の信号測定がＲＬＭであり、第２の測定リソース指示情報が１ビットを含み、このビットの値が１である場合にビーム管理の再利用を表し、このビットの値が０である場合にＲＲＭの再利用を表す。ユーザーデバイスが現在受信している第１の測定リソース指示情報が１ビットを含み、このビットの値が１であり、受信した第２の測定リソース指示情報が１ビットを含み、このビットの値が１である場合、ユーザーデバイスは、第１の測定リソース指示情報と第２の測定リソース指示情報とに基づいて、ＲＬＭがビーム管理の全部の測定リソースを再利用することを知ることが可能である。
【００６６】
また、例えば、第２の信号測定がビーム管理及びＲＲＭであり、ビーム管理の測定リソースがリソース１、リソース２及びリソース３であり、ＲＲＭの測定リソースがリソース４及びリソース５であり、第１の信号測定がＲＬＭであり、第２の測定リソース指示情報が１つのビットを含み、このビットの値が１である場合、ビーム管理を再利用するように指示し、このビットの値が０である場合、ＲＲＭを再利用するように指示する。ユーザーデバイスが現在に受信した第１の測定リソース指示情報が３つのビットを含み、３つのビットの値が１、０、１であり、受信した第２の測定リソース指示情報が１つのビットを含み、このビットの値が１である場合、ユーザーデバイスが第１の測定リソース指示情報及び第２の測定リソース指示情報に基づいて、ＲＬＭがビーム管理のリソース１及びリソース３を再利用し、リソース２を再利用しないことを知る。
【００６７】
本発明の実施例は、複数の信号測定をサポートする通信システムに適用されるネットワークデバイス５００を提供し、１つ以上のプロセッサと、１つ以上のメモリと、１つ以上の通信インターフェースと、１つ以上のプログラムと、を備える
前記１つ以上のプログラムは、前記メモリに記憶され、前記１つ以上のプロセッサによって実行されるように構成され、
プログラムは、以下のステップを実行するための命令を含み、
ユーザーデバイスに第１の測定リソース指示情報を送信し、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である。
【００６８】
本願のいくつかの実施例において、前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する。
【００６９】
本願のいくつかの実施例において、前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する。
【００７０】
本願のいくつかの実施例において、前記第２の信号測定の数が複数である場合、前記プログラムは、以下のステップを実行するための命令を含み、
前記ユーザーデバイスに第２の測定リソース指示情報を送信し、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである。
【００７１】
なお、本実施例に記載の内容の具体的な実現形態は、上記の方法を参照できるため、ここでは詳述しない。
【００７２】
図６を参照すると、図６は、本発明の実施例による、多種の信号測定をサポートする通信システムに適用されるユーザーデバイス６００であり、１つ以上のプロセッサと、１つ以上のメモリと、１つ以上の通信インタフェースと、１つ以上のプログラムとを備える
前記１つ以上のプログラムは、前記メモリに記憶され、前記１つ以上のプロセッサによって実行されるように構成され、
プログラムは、以下のステップを実行するための命令を含み、
ネットワークデバイスからの第１の測定リソース指示情報を受信し、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である。
【００７３】
本願のいくつかの実施例において、前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する。
【００７４】
本願のいくつかの実施例において、前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する。
【００７５】
本願のいくつかの実施例において、前記第２の信号測定の数が複数である場合、前記プログラムは、以下のステップを実行するための命令を含み、
前記ネットワークデバイスからの第２の測定リソース指示情報を受信し、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである。
【００７６】
なお、本実施例に記載の内容の具体的な実現形態は、上記の方法を参照できるため、ここでは説明を省略する。
【００７７】
図７を参照し、図７は本願の実施例におけるネットワークデバイス７００を示し、多種の信号測定をサポートしている通信システムに応用され、ネットワークデバイス７００は、処理ユニット７０１、通信ユニット７０２及び記憶ユニット７０３を含み、
前記処理ユニット７０１は、前記通信ユニット７０２を介して、ユーザーデバイスに第１の測定リソース指示情報を送信するように構成され、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である。
【００７８】
本願のいくつかの実施例において、前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する。
【００７９】
本願のいくつかの実施例において、前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する。
【００８０】
本願のいくつかの実施例において、前記第２の信号測定の数が複数である場合、
前記処理ユニット７０１は、前記通信ユニット７２０を介して、前記ユーザーデバイスに第２の測定リソース指示情報を送信するように構成され、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである。
【００８１】
ここで、処理ユニット７０１は、プロセッサ又はコントローラ(例えば、中央処理装置( Ｃｅｎｔｒａｌ Ｐｒｏｃｅｓｓｉｎｇ Ｕｎｉｔ、ＣＰＵ )、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ)又は他のプログラマブル論理デバイス、トランジスタ論理デバイス、ハードウェアコンポーネント、又はそれらの任意の組み合わせ)であってもよく、本願の開示に関連して説明された様々な例示的な論理ブロック、モジュール、及び回路を実施又は実行してもよい。通信ユニット７０２は、送受信機、送受信回路、無線周波数チップ、通信インタフェースなどとすることができ、記憶ユニット７０３は、メモリとすることができる。
【００８２】
処理ユニット７０１がプロセッサであり、通信ユニット７０２が通信インタフェースであり、記憶ユニット７０３がメモリである場合、本願の実施例に係るネットワークデバイスは、図５に示すネットワークデバイスであってもよい。
【００８３】
図８を参照し、図８は本願の実施例におけるユーザーデバイス８００を示し、多種の信号測定をサポートしている通信システムに応用され、ユーザーデバイス８００は、処理ユニット８０１、通信ユニット８０２及び記憶ユニット８０３を含み、
前記処理ユニット８０１は、前記通信ユニット８０２を介して、ネットワークデバイスからの第１の測定リソース指示情報を受信するように構成され、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である。
【００８４】
本願のいくつかの実施例において、前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する。
【００８５】
本願のいくつかの実施例において、前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する。
【００８６】
本願のいくつかの実施例において、前記第２の信号測定の数が複数である場合、
前記処理ユニット８０１は、さらに、前記通信ユニット８０２を介して、前記ネットワークデバイスからの第２の測定リソース指示情報を受信するように構成され、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである。
【００８７】
ここで、処理ユニット８０１は、プロセッサ又はコントローラ(例えば、中央処理装置( Ｃｅｎｔｒａｌ Ｐｒｏｃｅｓｓｉｎｇ Ｕｎｉｔ、ＣＰＵ )、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、トランジスタ論理デバイス、ハードウェアコンポーネント、又はそれらの任意の組み合わせ)であってもよく、本願の開示に関連して説明された様々な例示的な論理ブロック、モジュール、及び回路を実施又は実行してもよい。通信ユニット８０２は、送受信機、送受信回路、無線チップ、通信インタフェースなどであり、記憶部８０３は、メモリであってもよい。
【００８８】
処理ユニット８０１がプロセッサであり、通信ユニット８０２が通信インタフェースであり、記憶ユニット８０３がメモリである場合、本発明の実施例に係るユーザーデバイスは、図６に示すユーザーデバイスであってもよい。
【００８９】
本願の実施例は、電子データ交換のためのコンピュータプログラムを記憶するコンピュータ可読記憶媒体をさらに提供し、コンピュータプログラムは、コンピュータに、上述の方法の実施例におけるネットワークデバイスによって説明されるステップの一部又は全部を実行させる。
【００９０】
本願の実施例は、電子データ交換のためのコンピュータプログラムを記憶するコンピュータ可読記憶媒体をさらに提供し、コンピュータプログラムは、コンピュータに、上述の方法の実施例におけるユーザーデバイスによって説明されるステップの一部又は全部を実行させる。
【００９１】
本願の実施例は、コンピュータプログラムを記憶する非一時的コンピュータ可読記憶媒体を含むコンピュータプログラム製品をさらに提供し、コンピュータプログラムは、上記方法のネットワークデバイスにおいて説明されたステップの一部又は全部をコンピュータに実行させるように動作可能である。また、前記コンピュータプログラムは、ソフトウェアのインストールパッケージであってもよい。
【００９２】
本願の実施例は、コンピュータプログラムを記憶する非一時的コンピュータ可読記憶媒体を含むコンピュータプログラム製品をさらに提供し、コンピュータプログラムは、上記方法のユーザーデバイスにおいて説明されたステップの一部又は全部をコンピュータに実行させるように動作可能である。また、前記コンピュータプログラムは、ソフトウェアのインストールパッケージであってもよい。
【００９３】
本出願の実施例に記載された方法またはアルゴリズムのステップは、ハードウェアで実現されてもよく、プロセッサがソフトウェア命令を実行する方式で実現されてもよい。ソフトウェア命令は、ランダムアクセスメモリ( Ｒａｎｄｏｍ Ａｃｃｅｓｓ Ｍｅｍｏｒｙ、ＲＡＭ )、フラッシュメモリ、リードオンリーメモリ( Ｒｅａｄ Ｏｎｌｙ Ｍｅｍｏｒｙ、ＲＯＭ )、消去可能プログラマブルリードオンリーメモリ( Ｅｒａｓａｂｌｅ Ｐｒｏｇｒａｍｍａｂｌｅ ＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、レジスタ、ハードディスク、モバイルハードディスク、リードオンリーディスク( ＣＤ−ＲＯＭ )、または当技術分野で周知の任意の他の形態の記憶媒体に格納され得る、対応するソフトウェアモジュールから構成され得る。例示的な記憶媒体は、プロセッサが記憶媒体から情報を読み取り、記憶媒体に情報を書き込むことを可能にするように、プロセッサに結合される。もちろん、記憶媒体はプロセッサの一部であってもよい。プロセッサおよび記憶媒体は、ＡＳＩＣ内に配置され得る。また、ＡＳＩＣは、アクセスネットワークデバイス、ターゲットネットワークデバイス、またはコアネットワークデバイス内に配置され得る。もちろん、プロセッサおよび記憶媒体は、アクセスネットワークデバイス、ターゲットネットワークデバイス、またはコアネットワークデバイス内に個別構成要素として存在してもよい。
【００９４】
当業者は、上述の１つ以上の例において、本願の実施例に記載される機能が、ソフトウェア、ハードウェア、ファームウェア、またはそれらの任意の組合せによって、全体的にまたは部分的に実装され得ることを認識するであろう。ソフトウェアで実装する場合、全体的に又は部分的にコンピュータプログラム製品の形態で実装することができる。コンピュータプログラム製品は、１つ以上のコンピュータ命令を含む。コンピュータプログラム命令は、コンピュータ上でロードされ実行されると、本願の実施例にしたがったフローまたは機能を全体的にまたは部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、１つのウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( Ｄｉｇｉｔａｌ Ｓｕｂｓｃｒｉｂｅｒ Ｌｉｎｅ、ＤＳＬ ) )、または無線(例えば、赤外線、無線、マイクロ波など)手段によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、デジタルビデオディスク( Ｄｉｇｉｔａｌ Ｖｉｄｅｏ Ｄｉｓｃ、ＤＶＤ ) )、又は半導体媒体(例えば、ソリッドステートドライブ( ＳＳＤ ) )などであり得る
本発明の実施例の目的、技術的解決策、および効果を、上記の具体的な実施例についてさらに詳細に説明したが、上記の説明は、本発明の実施例の具体的な実施例にすぎず、本発明の実施例の保護範囲を制限するものではなく、本発明の実施例の技術的解決策に基づいて、本発明の実施例の保護範囲内に含まれるあらゆる修正、均等物、および改良がなされるべきであることが理解される。
【図１】
2021510464.tif 000003
【図２】
2021510464.tif 000004
【図３】
2021510464.tif 000005
【図４】
2021510464.tif 000006
【図５】
2021510464.tif 000007
【図６】
2021510464.tif 000008
【図７】
2021510464.tif 000009
【図８】
2021510464.tif 000010
【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
多種の信号測定をサポートしている通信システムに応用される測定リソースの指示方法であって、
ネットワークデバイスがユーザーデバイスに第１の測定リソース指示情報を送信することを含み、前記第１の測定リソース指示情報は、第１の信号測定が第２の信号測定の一部の測定リソース又は全部の測定リソースを再利用するように指示し、前記第２の信号測定が測定リソースが構成された信号測定であり、前記第１の信号測定が測定リソースが構成されない信号測定である
ことを特徴とする測定リソースの指示方法。
【請求項２】
前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する
ことを特徴とする請求項１に記載の測定リソースの指示方法。
【請求項３】
前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する
ことを特徴とする請求項１に記載の測定リソースの指示方法。
【請求項４】
前記第２の信号測定の数が複数である場合、前記方法は、さらに、
前記ネットワークデバイスが前記ユーザーデバイスに第２の測定リソース指示情報を送信することを含み、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである
ことを特徴とする請求項２又は３に記載の測定リソースの指示方法。
【請求項５】
多種の信号測定をサポートしている通信システムに応用される測定リソースの指示方法であって、
ユーザーデバイスがネットワークデバイスからの第１の測定リソース指示情報を受信することを含み、前記第１の測定リソース指示情報は、第１の信号測定が第２の信号測定の一部の測定リソース又は全部の測定リソースを再利用するように指示し、前記第２の信号測定が測定リソースが構成された信号測定であり、前記第１の信号測定が測定リソースが構成されない信号測定である
ことを特徴とする測定リソースの指示方法。
【請求項６】
前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する
ことを特徴とする請求項５に記載の測定リソースの指示方法。
【請求項７】
前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する
ことを特徴とする請求項５に記載の測定リソースの指示方法。
【請求項８】
前記第２の信号測定の数が複数である場合、前記方法は、さらに、
前記ユーザーデバイスが前記ネットワークデバイスからの第２の測定リソース指示情報を受信することを含み、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである
ことを特徴とする請求項６又は７に記載の測定リソースの指示方法。
【請求項９】
処理ユニットと、通信ユニットとを備え、多種の信号測定をサポートしている通信システムに応用されるネットワークデバイスであって、
前記処理ユニットは、前記通信ユニットを介してユーザーデバイスに第１の測定リソース指示情報を送信するように構成され、前記第１の測定リソース指示情報は、第１の信号測定が第２の信号測定の一部の測定リソース又は全部の測定リソースを再利用するように指示し、前記第２の信号測定が測定リソースが構成された信号測定であり、前記第１の信号測定が測定リソースが構成されない信号測定である
ことを特徴とするネットワークデバイス。
【請求項１０】
前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する
ことを特徴とする請求項９に記載のネットワークデバイス。
【請求項１１】
前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する
ことを特徴とする請求項９に記載のネットワークデバイス。
【請求項１２】
処理ユニットと、通信ユニットとを備え、多種の信号測定をサポートしている通信システムに応用されるユーザーデバイスであって、
前記処理ユニットは、前記通信ユニットを介して、ネットワークデバイスからの第１の測定リソース指示情報を受信するように構成され、前記第１の測定リソース指示情報は、第１の信号測定が第２の信号測定の一部の測定リソース又は全部の測定リソースを再利用するように指示し、ここで、前記第２の信号測定が測定リソースが構成された信号測定であり、前記第１の信号測定が測定リソースが構成されない信号測定である
ことを特徴とするユーザーデバイス。
【請求項１３】
前記第１の信号測定が前記第２の信号測定の全部の測定リソースを再利用する場合、前記第１の測定リソース指示情報が第１のビットを含み、前記第１のビットが、前記第１の信号測定が前記第２の信号測定の全部の測定リソースを再利用するように指示する
ことを特徴とする請求項１２に記載のユーザーデバイス。
【請求項１４】
前記第１の信号測定が前記第２の信号測定の一部の測定リソースを再利用する場合、前記第１の測定リソース指示情報が少なくとも２つのビットを含み、各ビットが１つの前記第２の信号測定の測定リソースに対応し、各ビットは、前記第１の信号測定がそれに対応する測定リソースを再利用し、前記第１の信号測定がそれに対応する測定リソースを再利用しないように指示する
ことを特徴とする請求項１２に記載のユーザーデバイス。
【請求項１５】
前記第２の信号測定の数が複数である場合、
前記処理ユニットは、さらに、前記通信ユニットを介して、前記ネットワークデバイスからの第２の測定リソース指示情報を受信するように構成され、前記第２の測定リソース指示情報が第２のビットを含み、前記第２のビットは、前記第１の信号測定が信号測定ｉの測定リソースを再利用するように指示し、前記信号測定ｉが複数の前記第２の信号測定のうちの１つである
ことを特徴とする請求項１３又は１４に記載のユーザーデバイス。
【国際調査報告】
2021510464.tif 000011
2021510464.tif 000012
2021510464.tif 000013
2021510464.tif 000014